(57)【要約】【課題】Ｓ字姿勢のときの背筋への負荷を低減できる椅子を提供する。【解決手段】椅子（１）は、座部（２）と、座部（２）を支える脚部（３）と、座部（２）の後部上方に位置する背もたれ部（４）とを備える。背もたれ部（４）には、椅子（１）に座る座者（５）の腰椎（５ａ）の前弯の姿勢を補助するように座部（２）の前方に向かって突出する腰椎前弯補助部（６）が設けられる。脚部（３）には、座者（５）の足を載せる足載具（９）が設けられる。足載具（９）は、足を載せたときに、踵が爪先よりも高くなるように、足載具（９）の後部（９ａ）が足載具（９）の前部（９ｂ）よりも高く構成される。【選択図】図１
2016112117.tif 000002
【特許請求の範囲】
【請求項１】
座部（２）と、前記座部（２）を支える脚部（３）と、前記座部（２）の後部上方に位置する背もたれ部（４）とを備える椅子（１）であって、
前記背もたれ部（４）には、前記椅子（１）に座る座者（５）の腰椎（５ａ）の前弯の姿勢を補助するように前記座部（２）の前方に向かって突出する腰椎前弯補助部（６）が設けられ、
前記脚部（３）には、前記座者（５）の足を載せる足載部（９）が設けられ、
前記足載部（９）に前記足を載せたときに、前記足の踵が爪先よりも高くなるように、前記足載部（９）の後部（９ａ）が前記足載部（９）の前部（９ｂ）よりも高く構成されることを特徴とする椅子（１）。
【請求項２】
請求項１に記載の椅子（１）であって、
前記足載部（９）は、前記足を載せる足載面（９ｃ）を備え、
前記足載面（９ｃ）は、前記足載部（９）の後方から前方に向かって下方に傾斜することを特徴とする椅子（１）。
【請求項３】
請求項１又は請求項２に記載の椅子（１）であって、
前記足載部（９）は、前記座者（５）の太腿が前記座部（２）の前方に向かって上方へ傾斜するように、前記座部（２）に対して配置されることを特徴とする椅子（１）。
【請求項４】
請求項１から請求項３の何れか１項に記載の椅子（１）であって、
前記足載部（９）は、前記座部（２）の下方に位置し、且つ、前記座部（２）の前後方向において前記座部（２）と一部又は全部が重なるように配置されることを特徴とする椅子（１）。
【請求項５】
請求項１から請求項４の何れか１項に記載の椅子（１）であって、
前記脚部（３）は、１つの脚本体（７）と、前記脚本体（７）の下端部から水平方向へ放射状に延びる複数の支脚（８）とを備え、
前記足載部（９）は、前記複数の支脚（８）のうち少なくとも２つの前記支脚（８）の上に着脱自在に載置される足載具（９）であり、
前記足載具（９）には、前記２つ以上の支脚（８）に対して前方への前記足載具（９）の移動を阻止するように前記２つ以上の支脚（８）の側部に係合する係合部（１１）が設けられることを特徴とする椅子（１）。
【請求項６】
請求項１から請求項４の何れか１項に記載の椅子（１）であって、
前記脚部（３）は、１つの脚本体（７）と、前記脚本体（７）の下端部から水平方向へ放射状に延びる複数の支脚（８）とを備え、
前記足載部（９）は、複数の前記支脚（８）のうち少なくとも２つの前記支脚（８）の上に着脱自在に載置される足載具（９）であり、
前記足載具（９）と前記２つ以上の支脚（８）との何れか一方には、前記足載具（９）と前記２つ以上の支脚（８）との何れか他方に向かって延びる凸部（２１）が設けられ、
前記足載具（９）と前記２つ以上の支脚（８）との何れか他方には、前記凸部（２１）と嵌合自在な凹部（２２）が設けられ、
前記凸部（２１）と前記凹部（２２）とが嵌合することにより、前記２つ以上の支脚（８）に対して前記足載具（９）の前方への移動が阻止されることを特徴とする椅子（１）。
【請求項７】
請求項１から請求項６の何れか１項に記載の椅子（１）であって、
前記腰椎前弯補助部（６）を上下方向に位置調整自在な上下調整機構（１２〜１４）を備えることを特徴とする椅子（１）。
【請求項８】
請求項１から請求項７の何れか１項に記載の椅子（１）であって、
前記腰椎前弯補助部（６）を前後方向に位置調整自在な前後調整機構（３４，３５）を備えることを特徴とする椅子（１）。
【請求項９】
座部（２）と、前記座部（２）を支える脚部（３）と、前記座部（２）の後方に配置される背もたれ部（４）とを備え、前記背もたれ部（４）には、座者（５）の腰椎（５ａ）の前弯の姿勢を補助するように前記座部（２）の前方に向かって突出する腰椎前弯補助部（６）が設けられる椅子（１）に取り付けられ、且つ前記椅子（１）に座る前記座者（５）の足を載せる足載具（９）であって、
前記足載具（９）に前記足を載せたときに、前記足の踵が爪先よりも高くなるように、前記足載具（９）の後部（９ａ）が前記足載具（９）の前部（９ｂ）よりも高く構成されることを特徴とする足載具（９）。
【発明の詳細な説明】
【技術分野】
【０００１】
本発明は、座部と、脚部と、背もたれ部とを備える椅子であって、椅子に座った者（座者）がＳ字姿勢となるように、背もたれ部にＳ字姿勢を補助するための腰椎前弯補助部を備える椅子、及びその椅子に用いられる足載具に関する。
【背景技術】
【０００２】
従来、座部と、脚部と、背もたれ部とを備える椅子であって、椅子に座った者（座者）がＳ字姿勢となるように、背もたれ部にＳ字姿勢を補助するための腰椎前弯補助部を備えるものが知られている（例えば、特許文献１参照）。
【０００３】
特許文献１の背もたれ部は、腰椎前弯補助部を境界にして上下方向の一方に長い背もたれの背長部と、他方に短い背もたれの背短部とで構成される。そして、腰椎前弯補助部の位置で背もたれが脚部から延びる支持部材で固定されている。そして、背もたれ部の上下を反転して支持部材に固定することにより、腰椎前弯補助部の位置を変えることなく背もたれ部の高さを変更可能としている。
【先行技術文献】
【特許文献】
【０００４】
【特許文献１】特開２００４−２０８８７８号公報
【発明の概要】
【発明が解決しようとする課題】
【０００５】
図９Ｃに示すように、人間は、腰椎が緩やかに前方に湾曲した前弯の姿勢となり、脊柱が側面視で緩やかなＳ字状のカーブを描く姿勢（Ｓ字姿勢）のときに、椎間板への負荷が最も少なくなり、神経及び内臓が圧迫されず、深い呼吸をすることができて、最も健康に良い姿勢と考えられている。そして、背もたれ部の腰椎前弯補助部は、図９Ｃに示す腰椎が緩やかに前方に湾曲した前弯の姿勢を保つように用いられる。
【０００６】
ここで、図９Ａに示すように、猫背姿勢のとき、図９Ｂに示すように、座部に浅く腰掛けた状態の背中座り姿勢のとき、図９Ｃに示すように、Ｓ字姿勢のとき、の３つの各姿勢のときに、腹筋、背筋、大腿筋（太ももの筋肉）、腓腹筋（ふくらはぎの筋肉）に、夫々加わる負荷を測定した。
【０００７】
図９Ｄに示すように、腹筋、大腿筋（太ももの筋肉）、腓腹筋（ふくらはぎの筋肉）については、何れの姿勢のときでも殆ど変化がなかったのに対し、背筋については、Ｓ字姿勢のときが他の姿勢のときと比較して１０倍程度まで負荷が増加していることが分かった。
【０００８】
本発明は、以上の点に鑑み、Ｓ字姿勢のときの背筋への負荷を低減できる椅子を提供することを目的とする。
【課題を解決するための手段】
【０００９】
上記目的を達成するため、本発明は、座部（２）と、前記座部（２）を支える脚部（３）と、前記座部（２）の後部上方に位置する背もたれ部（４）とを備える椅子（１）であって、前記背もたれ部（４）には、前記椅子（１）に座る座者（５）の腰椎（５ａ）の前弯の姿勢を補助するように前記座部（２）の前方に向かって突出する腰椎前弯補助部（６）が設けられ、前記脚部（３）には、前記座者（５）の足を載せる足載部（９）が設けられ、前記足載部（９）に前記足を載せたときに、前記足の踵が爪先よりも高くなるように、前記足載部（９）の後部（９ａ）が前記足載部（９）の前部（９ｂ）よりも高く構成されることを特徴とする。
【００１０】
本発明によれば、足載部の後部が前部よりも高く構成されることにより、足載部に載せた足の踵が爪先よりも高くなり、踵と爪先の高さが同一の場合と比較して、座者の膝の位置が高くなる。座者の膝の位置が高くなると、座者の背中を背もたれ部に押し当てるように座者の姿勢を正すことができ、座者はＳ字姿勢を比較的容易に維持することが可能となる。
【００１１】
また、本発明においては、前記足載部（９）に、前記足を載せる足載面（９ｃ）を設け、前記足載面（９ｃ）を、前記足載部（９）の後方から前方に向かって下方に傾斜させることができる。
【００１２】
ここで、本発明の足載部は、その後部を前部よりも高くなるように、後部に上方に突き出た段部を設けて構成することも考えられる。
【００１３】
しかしながら、上述の如く傾斜面を設ければ、座者の足裏を傾斜面に載せることができ、足載部にしっかりと荷重を掛けることができて、座者の背中を背もたれ部に押し当てる作用をより効果的に発揮することができる。
【００１４】
また、本発明においては、前記足載部（９）を、前記座者（５）の太腿が前記座部（２）の前方に向かって上方へ傾斜するように、前記座部（２）に対して配置することが好ましい。
【００１５】
かかる構成によれば、座者の膝の位置が高くなって、座者の背中を背もたれ部に押し当てるようにして、腰椎前弯補助部により腰椎の緩やかな前弯姿勢が保たれ、座者の姿勢を正すことができ、座者はＳ字姿勢を比較的容易に維持することが可能となる。
【００１６】
また、本発明においては、前記足載部（９）を、前記座部（２）の下方に位置させ、且つ、前記座部（２）の前後方向において前記座部（２）と一部又は全部が重なるように配置することが好ましい。
【００１７】
かかる構成によれば、座者の足が座者の重心に近づく。このため、座者がＳ字姿勢を維持するときに座者の脚力によって座者の体重を支え易くなり、Ｓ字姿勢を維持するために座者に要求される背筋への負担を軽減させることができる。
【００１８】
また、本発明においては、前記脚部（３）は、１つの脚本体（７）と、前記脚本体（７）の下端部から水平方向へ放射状に延びる複数の支脚（８）とを備え、前記足載部（９）は、前記複数の支脚（８）のうち少なくとも２つの前記支脚（８）の上に着脱自在に載置され、前記足載部（９）に、前記２つ以上の支脚（８）に対して前方への前記足載部（９）の移動を阻止するように前記２つ以上の支脚（８）の側部に係合する係合部（１１）を設けることができる。
【００１９】
ここで、本発明の足載部は前方に向かって下方へ傾斜しているため、足載部を支脚に対して着脱自在に構成する場合、足載部が支脚に対して前方へ移動し易い。そこで、上述の如く、足載部に係合部を設ければ、足載部の係合部が２つ以上の支脚の側部に係合するため、足載部の支脚に対する前方への移動が阻止され、座者は足を足載部に安定して載せることができる。
【００２０】
また、足載部を支脚に対して着脱自在とすることにより、既存の椅子に対しても足載部を取り付けることができる。
【００２１】
また、本発明においては、前記脚部（３）は、１つの脚本体（７）と、前記脚本体（７）の下端部から水平方向へ放射状に延びる複数の支脚（８）とを備え、前記足載部（９）は、複数の前記支脚（８）のうち少なくとも２つの前記支脚（８）の上に着脱自在に載置され、前記足載部（９）と前記２つ以上の支脚（８）との何れか一方に、前記足載部（９）と前記２つ以上の支脚（８）との何れか他方に向かって延びる凸部（２１）を設け、前記足載部（９）と前記２つ以上の支脚（８）との何れか他方に、前記凸部（２１）と嵌合自在な凹部（２２）を設け、前記凸部（２１）と前記凹部（２２）とを嵌合させることにより、前記２つ以上の支脚（８）に対して前記足載部（９）の前方への移動を阻止するように構成することができる。
【００２２】
かかる構成によれば、足載部の支脚に対する前方への移動が阻止され、座者は足を足載部に安定して載せることができる。また、足載部を支脚に対して着脱自在とすることにより、既存の椅子に対しても足載部を取り付けることができる。
【００２３】
また、本発明においては、前記腰椎前弯補助部（６）を上下方向に位置調整自在な上下調整機構（１２〜１４）を設けてもよい。
【００２４】
また、本発明においては、前記腰椎前弯補助部（６）を前後方向に位置調整自在な前後調整機構（３４，３５）を設けてもよい。
【００２５】
また、本発明は、座部（２）と、前記座部（２）を支える脚部（３）と、前記座部（２）の後方に配置される背もたれ部（４）とを備え、前記背もたれ部（４）には、座者（５）の腰椎（５ａ）の前弯の姿勢を補助するように前記座部（２）の前方に向かって突出する腰椎前弯補助部（６）が設けられる椅子（１）に取り付けられ、且つ前記椅子（１）に座る前記座者（５）の足を載せる足載具（９）であって、前記足載具（９）に前記足を載せたときに、前記足の踵が爪先よりも高くなるように、前記足載具（９）の後部（９ａ）が前記足載具（９）の前部（９ｂ）よりも高く構成されることを特徴とする。
【００２６】
本発明によれば、足載具の後部が前部よりも高く構成されることにより、足載具に載せた足の踵が爪先よりも高くなり、踵と爪先の高さが同一の場合と比較して、座者の膝の位置が高くなる。座者の膝の位置が高くなると、座者の背中を背もたれ部に押し当てるように座者の姿勢を正すことができ、座者はＳ字姿勢を比較的容易に維持することが可能となる。
【図面の簡単な説明】
【００２７】
【図１】本発明の椅子の第１実施形態を示す側面図。
【図２】第１実施形態の椅子を一部断面で示す側面図。
【図３】第１実施形態の足載具を示す平面図。
【図４】図４Ａは第１実施形態の背もたれ部を示す斜視図。図４Ｂは第１実施形態の腰椎前弯補助部の取付構造を示す斜視図。
【図５】第１実施形態の椅子を示す正面図。
【図６】図６Ａは本発明の椅子の第２実施形態を示す側面図。図６Ｂは第２実施形態の足載具を示す平面図。
【図７】図７Ａは本発明の椅子の第３実施形態を示す説明図。図７Ｂは第３実施形態の上下調整機構の部品を示す断面図。
【図８】本発明の椅子の第４実施形態の腰椎前弯補助部を示す説明図。
【図９】図９Ａは椅子に座る者（座者）が猫背で従来の椅子に座った状態を示す参考図。図９Ｂは座者が従来の座部に浅く腰掛けて背中を背もたれに預けた背中座り状態を示す参考図。図９Ｃは座者の脊柱が緩やかなＳ字状のカーブを描くように従来の椅子に座ったＳ字姿勢の状態を示す参考図。図９Ｄは座者の姿勢と座者の各部の筋力負荷との関係を示すグラフ。
【発明を実施するための形態】
【００２８】
図１を参照して、本発明の第１実施形態の椅子１は、略矩形板状の座部２と、座部２を支える脚部３と、座部２の後部上方に位置する背もたれ部４とを備える。座部２は、椅子１に座る者（座者５）が腰掛ける部分である。座部２の上面には座者５の座り心地を良くすべくクッション材２ａが設けられている。また、図２に示すように、座部２は前方から後方に向かって下方に傾斜している。
【００２９】
背もたれ部４は、座部２の比較的強度の高い下部の後方に連結されて支持される。なお、背もたれ部４は、座部の後部上方に位置するものであればよく、例えば、脚部３に連結されて支持されていてもよい。
【００３０】
背もたれ部４の前面４ａには、座部２の前方に向かって突出する腰椎前弯補助部６が設けられている。腰椎前弯補助部６は、座者５の腰椎５ａの前弯の姿勢を補助するように座者５の腰椎５ａに向かって突出している。座者５の腰椎５ａの位置は人によって夫々異なるが、本実施形態では成人男性（例えば、２０歳から６０歳までの男性）の平均的な位置を基準として設定している。なお、腰椎前弯補助部６の突出位置の基準としては、成人男性の平均値に限らず、成人女性の平均値、小学生の平均値、幼稚園児の平均値、成人男性の腰椎位置の標準偏差などに基づいて、突出位置の基準を設定してもよい。
【００３１】
図４Ａに示すように、腰椎前弯補助部６は、背もたれ部４の上下方向に位置調整自在に取り付けられている。背もたれ部４には、上下方向に延びるスリット４ｂが設けられている。
【００３２】
図４Ｂに示すように、腰椎前弯補助部６の後面６ａには、ネジ穴１２ａを備える第１狭持板１２が設けられている。腰椎前弯補助部６は、第１狭持板１２を背もたれ部４の前面４ａに当接させるようにして配置される。また、背もたれ部４の後側に挿通孔１３ａを備える第２狭持板１３が配置される。そして、ボルト１４が、第２狭持板１３の後側から挿通孔１３ａ、背もたれ部４のスリット４ｂを通して、第１狭持板１２のネジ穴１２ａに螺合される。このボルト１４の締付けにより、背もたれ部４を第１狭持板１２と第２狭持板１３とで前後から挟み込んで腰椎前弯補助部６が背もたれ部４に固定される。腰椎前弯補助部６の高さを調節する場合には、ボルト１４を緩めて、腰椎前弯補助部６を上下方向に移動させた後に再度ボルト１４を締め付ければよい。本実施形態の椅子１においては、スリット４ｂ、第１狭持板１２、第２狭持板１３、ボルト１４によって、本発明の上下調整機構が構成される。なお、本発明の上下調整機構は、この構成に限らず、他の構成であってもよい。
【００３３】
脚部３は、上下に伸縮自在なガス圧昇降式またはコイルスプリング昇降式の１つの脚本体７と、脚本体７の下端部から水平方向へ放射状に延びる複数の支脚８とを備える。
【００３４】
複数の支脚８のうちの前方に延びる２つの支脚８の上には、足載部としての足載具９が載置されている。図２及び図３に示すように、足載具９の後部９ａの下面には、後部９ａの高さを足載具９の前部９ｂよりも高くすべく高さ調整部１０が設けられている。
【００３５】
また、足載具９の前部９ｂの下面には、前方に延びる２つの支脚８の側面に係止可能なストッパ１１が２つ設けられている。このストッパ１１により、足載具９が支脚８に対して前方への移動が阻止される。本実施形態においてはストッパ１１が本発明の係合部に相当する。
【００３６】
なお、支脚８と接触する高さ調整部１０の下端面に摩擦係数の高いゴムなどの構成樹脂を張り付けるなどして、滑り止め防止加工を施してもよい。また、本実施形態の足載具９は２つの支脚８の上に載置されるものであるが、本発明の足載部及び足載具は１つまたは複数の支脚の上に取り付けられるように構成することもできる。
【００３７】
また、図１及び図２を参照して、本実施形態の椅子１は、机１５に置かれたノートパソコン１６のキーボード１７などを操作するときに、座者５の腕を載せることができる腕載部１８が設けられている。腕載部１８の表面はクッション材で覆われている。
【００３８】
腕載部１８の左右両端は、座部２の左右側縁の両側からＬ字状に折れ曲がって前側上方に向かって夫々延びる２つのＬ字部材１９によって支えられている。
【００３９】
また、図５に示すように、腕載部１８の左右一方（図５では図面左側）の端部には、前後方向に貫通する貫通孔１８ａが設けられている。また、一方（図５では図面左側）に位置するＬ字部材１９には、貫通孔１８ａに挿通される回転軸２０が設けられている。腕載部１８の左右他方（図５では図面右側）の端部は、他方（図５では図面右側）のＬ字部材１９の上縁に載っているだけである。
【００４０】
そして、座者５が椅子１に座ったり椅子１から立ったりするときには、図５に破線で示すように、腕載部１８を、回転軸２０を中心に回転させて一方（図５では図面左側）のＬ字部材１９に折り重ねることができる。
【００４１】
ところで、図９Ｃに示すように、人間は、腰椎が緩やかに前方に湾曲した前弯の姿勢となり、脊柱が側面視で緩やかなＳ字状のカーブを描く姿勢（Ｓ字姿勢）のときに、椎間板への負荷が最も少なくなり、神経及び内臓が圧迫されず、深い呼吸をすることができて、最も健康に良い姿勢と考えられている。そして、背もたれ部の腰椎前弯補助部は、図９Ｃに示す腰椎が緩やかに前方に湾曲した前弯の姿勢を保つように用いられる。
【００４２】
ここで、図９Ａに示すように、猫背姿勢のとき、図９Ｂに示すように、座部に浅く腰掛けた状態の背中座り姿勢のとき、図９Ｃに示すように、Ｓ字姿勢のとき、の３つの各姿勢のときに、腹筋、背筋、大腿筋（太ももの筋肉）、腓腹筋（ふくらはぎの筋肉）に、夫々加わる負荷を測定した。
【００４３】
図９Ｄに示すように、腹筋、大腿筋（太ももの筋肉）、腓腹筋（ふくらはぎの筋肉）については、何れの姿勢のときでも殆ど変化がなかったのに対し、背筋については、Ｓ字姿勢のときが他の姿勢のときと比較して１０倍程度まで負荷が増加していることが分かった。
【００４４】
第１実施形態の椅子１によれば、足載具９の後部９ａが前部９ｂよりも高く構成されることにより、足載具９に載せた座者５の足の踵が爪先よりも高くなる。これにより、踵と爪先の高さが同一の場合と比較して、第１実施形態の椅子１に座る座者５の膝の位置が高くなる。座者５の膝の位置が高くなると、座者５の背中を背もたれ部４に押し当てるように座者５の姿勢を正すことができ、座者５はＳ字姿勢を比較的容易に維持することが可能となる。
【００４５】
ここで、本発明の足載部は、その後部を前部よりも高くなるように、後部に上方に突き出た段部を設けて構成することも考えられ、このように構成しても本発明の座者の膝の位置を高くして、背中を背もたれ部に押し当てるように座者の姿勢を正して、Ｓ字姿勢を比較的容易に維持することができるという本発明の効果を得ることができる。
【００４６】
しかしながら、第１実施形態の足載具９は、後方から前方に向かって下方に傾斜する傾斜面９ｃが設けられている。これによれば、座者５の足裏を傾斜面９ｃに載せることができ、足載具９にしっかりと荷重（体重）を掛けることができて、座者５の背中を背もたれ部４に押し当てる作用をより効果的に発揮することができる。本実施形態においては、傾斜面９ｃが本発明の足載面に相当する。
【００４７】
また、第１実施形態の椅子１によれば、足載具９により、座者５の太腿が座部２の前方に向かって上方へ傾斜する。これにより、座者５の膝の位置が高くなって、座者５の背中を背もたれ部４に押し当てるようにして、腰椎前弯補助部６により腰椎５ａの緩やかな前弯姿勢が保たれ、座者５の姿勢を正すことができ、座者５はＳ字姿勢を比較的容易に維持することが可能となる。
【００４８】
また、第１実施形態の椅子１及び足載具９においては、足載具９を、座部２の下方に位置させ、且つ、座部２の前後方向において座部２と一部（又は全部でもよい）が重なるように配置している。このように構成することにより、座者５の足（足裏）の位置が座者５の重心に近づく。このため、座者５がＳ字姿勢を維持するときに座者５の脚力によって座者５の体重を支え易くなり、Ｓ字姿勢を維持するために座者５に要求される背筋への負担を軽減させることができる。
【００４９】
また、足載具９に係合部としてのストッパ１１を設けているため、足載具９の係合部としてのストッパ１１が２つの支脚８の側部に係合する。このため、足載具９の支脚８に対する前方への移動が阻止され、座者５は足を足載具９に安定して載せることができる。
【００５０】
また、第１実施形態の足載具９は、支脚８に対して着脱自在に構成される。これにより、腰椎前弯補助部を備える既存の椅子に対しても足載具９を取り付けることができ、足載具９の汎用性を向上させることができる。なお、本発明の足載部は脚部に着脱自在に設けられるものに限らず、取り外し不能に座部又は脚部、背もたれ部などに設けられていてもよい。
【００５１】
図６Ａ及び図６Ｂは第２実施形態の椅子１を示している。
【００５２】
第２実施形態の椅子１では、足載具９に、支脚８に向かって延びる凸部２１が設けられ、支脚８に、凸部２１と嵌合自在な凹部２２が設けられている点で、第１実施形態の椅子１と構成が相違するが、他の構成は全て第１実施形態と同一であり、同一の符号を付している。
【００５３】
第２実施形態の椅子１では、凸部２１と凹部２２とを嵌合させることにより、２つの支脚８に対して足載具９の移動を阻止することができる。これにより、座者５は足（足裏）を足載具９に安定して載せることができる。また、足載具９を支脚８に対して着脱自在とすることにより、既存の椅子の支脚に穴を空けて凹部２２を設けるだけで、第２実施形態の足載具９を取り付けることができ、椅子１の設計変更箇所を最小限に留めることができる。なお、第２実施形態においては、足載具９に凸部２１を設けたものを説明したが、支脚８に足載具に向かって突出する凸部を設けてもよい。この場合、足載具９に凸部と嵌合する凹部を設ければよい。
【００５４】
図７Ａは第３実施形態の椅子１の背もたれ部４に設けられた上下調整機構を示している。図７Ｂは第３実施形態の上下調整機構の部品を示している。なお、第３実施形態の椅子１においては第１、第２実施形態のものと同一の構成は同一の符号を付して説明を省略する。
【００５５】
第３実施形態の椅子１の上下調整機構は、左右方向にも腰椎前弯補助部６の位置を調整可能に構成されるものである。図７Ａに示すように、第３実施形態の椅子１の上下調整機構は、背もたれ部４に設けられた左右方向に延びる第１案内部２３に沿って左右方向に移動自在な第１移動体２４を備える。
【００５６】
また、第１移動体２４には、上下方向に延びる第２案内部２５に沿って上下方向に移動自在な第２移動体２６が設けられている。
【００５７】
図７Ｂに示すように、第２移動体２６は、腰椎前弯補助部６に固定される固定部２７と、固定部２７に設けられた左右方向に延びる筒状部２８とを備える。筒状部２８には、先端にテーパ部２９ａを備える一対のピン２９が挿入される。一対のピン２９の間には、ピン２９を付勢するコイルスプリング３０が設けられている。なお、ピン２９を付勢する部品としては、コイルスプリングに限らず、ピン２９を付勢できる弾性を備えるものであれば他の弾性体でもよい。
【００５８】
一対のピン２９は、押圧されるとコイルスプリング３０の付勢力に抗して筒状部２８の中に引っ込むようにして後退することができる。
【００５９】
図７Ａに示すように、第２案内部２５の左右には、一対のピン２９に夫々嵌合自在なラック３１が設けられている。腰椎前弯補助部６を上下方向に所定以上の力を加えて移動させると、一対のピン２９を筒状部２８内に後退させるようにして、第２移動体も上下方向に移動させることができる。
【００６０】
第１移動体２４も第２移動体２６と同様のピン３２を４つ備えており、移動方向が左右である点を除き、同様に構成される。第１案内部２３の上下には、４つのピン３２に夫々嵌合可能なラック３３が設けられている。
【００６１】
図８は第４実施形態の椅子１の腰椎前弯補助部６を示している。第４実施形態の椅子１は、腰椎前弯補助部６を前後方向に位置調整自在な前後調整機構を備える点を除いて第１実施形態の椅子１と同一に構成される。
【００６２】
第４実施形態の腰椎前弯補助部６は、背面に前後調整ネジ穴３４を備える。前後調整ネジ穴３４には、前後調整ボルト３５が螺着される。前後調整ボルト３５は、背もたれ部４に、回転可能に、且つ前後方向に移動不能に取り付けられている。そして、前後調整ボルト３５を回転させることにより、腰椎前弯補助部６を前後方向に移動させることができる。なお、本発明の前後調整機構はこの構成に限らず、他の構成であってもよい。
【符号の説明】
【００６３】
１  椅子
２  座部
２ａ  クッション材
３  脚部
４  背もたれ部
４ａ  前面
４ｂ  スリット
５  座者
５ａ  腰椎
６  腰椎前弯補助部
７  脚本体
８  支脚
９  足載具（足載部）
９ａ  後部
９ｂ  前部
９ｃ  傾斜面（足載面）
１０  高さ調整部
１１  ストッパ（係合部）
１２  第１狭持板
１２ａ  ネジ穴
１３  第２狭持板
１３ａ  挿通孔
１４  ボルト
１５  机
１６  ノートパソコン
１７  キーボード
１８  腕載部
１８ａ  貫通孔
１９  Ｌ字部材
２０  回転軸
２１  凸部
２２  凹部
２３  第１案内部
２４  第１移動体
２５  第２案内部
２６  第２移動体
２７  固定部
２８  筒状部
２９  ピン
２９ａ  テーパ部
３０  コイルスプリング
３１  ラック
３２  ピン
３３  ラック
３４  前後調整ネジ穴
３５  前後調整ボルト
【図１】
2016112117.tif 000003
【図２】
2016112117.tif 000004
【図３】
2016112117.tif 000005
【図４】
2016112117.tif 000006
【図５】
2016112117.tif 000007
【図６】
2016112117.tif 000008
【図７】
2016112117.tif 000009
【図８】
2016112117.tif 000010
【図９】
2016112117.tif 000011